(57)【要約】【課題】ユーザが放送受信障害による損傷の激しい映像を見て不快に感じることを防ぐことができる録画装置を提供する。【解決手段】ＨＤＤ１０は、ハードディスクにトランスポートストリームに基づく映像データを記録させる際に放送受信障害が発生している間は記録を一時停止し、記録後に録画時間に対する記録一時停止時間の割合に応じた損傷ランクをハードディスクに記録させ、リモコン１７においてタイトル一覧表示用のキーが入力されると、ＯＳＤ部１１がＯＳＤ映像データを生成し、ハードディスクに記録された映像データに基づくサムネイルおよびハードディスクに記録された番組名が映像データ毎にテレビ１６に表示され、このときハードディスクに記録された損傷ランクに応じて色分けされた放送受信障害を表すアイコンも表示される。【選択図】図１
2008294887.tif 000002
【特許請求の範囲】
【請求項１】
デジタル放送信号からトランスポートストリームを取出すトランスポートストリーム取出し手段と、
前記トランスポートストリーム取出し手段が取出したトランスポートストリームに基づく映像データを記録媒体に記録させ、映像データの記録の際、放送受信障害の発生から放送受信障害からの復帰までの間は映像データの記録を一時停止する第一の記録手段と、
前記第一の記録手段による記録開始から記録終了までの時間に対する前記第一の記録手段が記録一時停止をした時間の割合に応じたランク情報を前記記録媒体に記録させる第二の記録手段と、
前記第一の記録手段により前記記録媒体に記録された映像データを表す画像と共に、前記第二の記録手段により前記記録媒体に記録されたランク情報に応じた放送受信障害発生を表す画像を表示手段に表示させるための表示用信号を前記表示手段に出力する表示用信号出力手段と、を備えることを特徴とする録画装置。
【請求項２】
前記放送受信障害発生を表す画像は、前記ランク情報に応じた色のアイコンであることを特徴とする請求項１に記載の録画装置。
【請求項３】
前記映像データを表す画像および前記放送受信障害発生を表す画像の表示中に操作手段の操作により映像データが選択されると、前記表示用信号出力手段は、選択された映像データについての前記第一の記録手段の記録開始から記録終了までの期間を表すバーと、前記選択された映像データについての前記第一の記録手段の記録一時停止期間を表す前記バーの部分とを前記表示手段に表示させるための表示用信号を前記表示手段に出力することを特徴とする請求項１または請求項２に記載の録画装置。
【請求項４】
デジタル放送信号からトランスポートストリームを取出すトランスポートストリーム取出し手段と、
前記トランスポートストリーム取出し手段が取出したトランスポートストリームに基づく映像データを記録媒体に記録させ、映像データの記録の際、放送受信障害の発生から放送受信障害からの復帰までの間は映像データの記録を一時停止する第一の記録手段と、
前記第一の記録手段による記録開始から記録終了までの時間に対する前記第一の記録手段が記録一時停止をした時間の割合に応じたランク情報を前記記録媒体に記録させる第二の記録手段と、
前記第二の記録手段により前記記録媒体に記録されたランク情報のうち所定のランクのランク情報以外のランク情報に対応する前記第一の記録手段により前記記録媒体に記録された映像データを表す画像を表示手段に表示させるための表示用信号を前記表示手段に出力する表示用信号出力手段と、を備えることを特徴とする録画装置。
【請求項５】
前記所定のランクは、操作手段の操作による設定に応じたランクであることを特徴とする請求項４に記載の録画装置。
【請求項６】
デジタル放送信号からトランスポートストリームを取出すトランスポートストリーム取出し手段と、
前記トランスポートストリーム取出し手段が取出したトランスポートストリームに基づく映像データを記録媒体に記録させ、映像データの記録の際、放送受信障害の発生から放送受信障害からの復帰までの間は映像データの記録を一時停止する第一の記録手段と、
前記第一の記録手段による記録開始から記録終了までの時間に対する前記第一の記録手段が記録一時停止をした時間の割合に応じたランク情報を前記記録媒体に記録させる第二の記録手段と、
前記第二の記録手段により前記記録媒体に記録されたランク情報のうち所定のランクのランク情報に対応する前記第一の記録手段により前記記録媒体に記録された映像データを削除する削除手段と、を備えることを特徴とする録画装置。
【請求項７】
前記所定のランクは、操作手段の選択操作に応じたランクであることを特徴とする請求項６に記載の録画装置。
【発明の詳細な説明】
【技術分野】
【０００１】
本発明は、デジタル放送受信に対応した録画装置に関するものである。
【背景技術】
【０００２】
従来から、デジタル放送を受信しデジタル放送の映像情報を記録可能な録画装置が様々に開発されている。このような録画装置として、例えば特許文献１に次のような録画装置が提案されている。
【０００３】
特許文献１に提案された録画装置では、録画開始時刻になると、ストリーム記録用ファイルを作成しファイル管理テーブルに記録開始時刻を記録し、放送受信状態が良好である間はストリーム記録ファイルにストリームを記録し、放送受信状態が悪化すると記録を一時停止し、ストリーム記録ファイルを閉じてファイル管理テーブルに一時停止時刻を記録し、その後放送受信状態が復帰すると、新たなストリーム記録用ファイルを作成しファイル管理テーブルに一時停止解除時刻（つまり次のストリームの記録開始時刻）を記録し、作成されたファイルへの記録を開始し、受信状態が良好な間は記録を継続し、放送受信状態が再び悪化すると記録を一時停止し、以降同様の動作となり、録画終了時刻になると記録を停止し、記録中のファイルを閉じてファイル管理テーブルに録画終了時刻を記録し、録画終了となる。
【０００４】
そして録画終了後、再生キー等によって再生処理が開始されると、ストリーム記録ファイルが順次再生され、再生中、ＯＳＤメニュー表示項目選択操作で中断時間履歴表示という項目が選択されると、ファイル管理テーブルの一時停止時刻および記録開始時刻に基づき中断時間の履歴が表示される。これにより、録画状況をユーザに的確に認識させることを可能としている。
【特許文献１】特開２００６−９２６６５号公報（第１０頁−第１５頁）
【発明の開示】
【発明が解決しようとする課題】
【０００５】
しかし、上記特許文献１に提案された録画装置では、再生させてから初めてユーザは中断時間履歴表示により録画状況を把握でき、放送受信障害による損傷の激しい映像の場合でもユーザは少なくとも１回は見る必要があり、ユーザに不快感を与えてしまうといった問題点があった。
【０００６】
上記問題点を鑑み、本発明は、ユーザが放送受信障害による損傷の激しい映像を見て不快に感じることを防ぐことができる録画装置を提供することを目的とする。
【課題を解決するための手段】
【０００７】
上記目的を達成するために本発明の録画装置は、デジタル放送信号からトランスポートストリームを取出すトランスポートストリーム取出し手段と、
前記トランスポートストリーム取出し手段が取出したトランスポートストリームに基づく映像データを記録媒体に記録させ、映像データの記録の際、放送受信障害の発生から放送受信障害からの復帰までの間は映像データの記録を一時停止する第一の記録手段と、
前記第一の記録手段による記録開始から記録終了までの時間に対する前記第一の記録手段が記録一時停止をした時間の割合に応じたランク情報を前記記録媒体に記録させる第二の記録手段と、
前記第一の記録手段により前記記録媒体に記録された映像データを表す画像と共に、前記第二の記録手段により前記記録媒体に記録されたランク情報に応じた放送受信障害発生を表す画像を表示手段に表示させるための表示用信号を前記表示手段に出力する表示用信号出力手段と、を備える構成としている。
【０００８】
このような構成によれば、表示手段に表示される放送受信障害発生を表す画像によりユーザは放送受信障害による映像データの損傷程度を再生前に把握できるので、ユーザが放送受信障害発生により損傷の激しい映像データを再生させて再生映像を見て不快に感じることを防ぐことができる。
【０００９】
上記構成において、前記放送受信障害発生を表す画像は、前記ランク情報に応じた色のアイコンであればよい。
【００１０】
また、上記構成において、前記映像データを表す画像および前記放送受信障害発生を表す画像の表示中に操作手段の操作により映像データが選択されると、前記表示用信号出力手段は、選択された映像データについての前記第一の記録手段の記録開始から記録終了までの期間を表すバーと、前記選択された映像データについての前記第一の記録手段の記録一時停止期間を表す前記バーの部分とを前記表示手段に表示させるための表示用信号を前記表示手段に出力する構成にしてもよい。
【００１１】
このような構成によれば、ユーザはバーの表示により放送受信障害の発生状況すなわち映像データの損傷程度を直感的に把握できる。
【００１２】
また、本発明の録画装置は、デジタル放送信号からトランスポートストリームを取出すトランスポートストリーム取出し手段と、
前記トランスポートストリーム取出し手段が取出したトランスポートストリームに基づく映像データを記録媒体に記録させ、映像データの記録の際、放送受信障害の発生から放送受信障害からの復帰までの間は映像データの記録を一時停止する第一の記録手段と、
前記第一の記録手段による記録開始から記録終了までの時間に対する前記第一の記録手段が記録一時停止をした時間の割合に応じたランク情報を前記記録媒体に記録させる第二の記録手段と、
前記第二の記録手段により前記記録媒体に記録されたランク情報のうち所定のランクのランク情報以外のランク情報に対応する前記第一の記録手段により前記記録媒体に記録された映像データを表す画像を表示手段に表示させるための表示用信号を前記表示手段に出力する表示用信号出力手段と、を備える構成としている。
【００１３】
このような構成によれば、所定の損傷程度の映像データをユーザが選択して再生させることができないので、ユーザが放送受信障害発生により損傷の激しい映像データを再生させて再生映像を見て不快に感じることを防ぐことができる。
【００１４】
また、上記構成において、前記所定のランクは、操作手段の操作による設定に応じたランクであることが望ましい。これにより、ユーザが鑑賞を所望する損傷程度の映像データをユーザが選択して再生させることができる。
【００１５】
また、本発明の録画装置は、デジタル放送信号からトランスポートストリームを取出すトランスポートストリーム取出し手段と、
前記トランスポートストリーム取出し手段が取出したトランスポートストリームに基づく映像データを記録媒体に記録させ、映像データの記録の際、放送受信障害の発生から放送受信障害からの復帰までの間は映像データの記録を一時停止する第一の記録手段と、
前記第一の記録手段による記録開始から記録終了までの時間に対する前記第一の記録手段が記録一時停止をした時間の割合に応じたランク情報を前記記録媒体に記録させる第二の記録手段と、
前記第二の記録手段により前記記録媒体に記録されたランク情報のうち所定のランクのランク情報に対応する前記第一の記録手段により前記記録媒体に記録された映像データを削除する削除手段と、を備える構成としている。
【００１６】
このような構成によれば、所定の損傷程度の映像データが削除されるので、ユーザが放送受信障害発生により損傷の激しい映像データを再生させて再生映像を見て不快に感じることを防ぐことができる。また、記録媒体の残り容量を増やして有効活用できる。
【００１７】
また、上記構成において、前記所定のランクは、操作手段の選択操作に応じたランクであることが望ましい。これにより、ユーザが削除を所望する損傷程度の映像データを削除できる。
【発明の効果】
【００１８】
本発明の録画装置によれば、ユーザが放送受信障害による損傷の激しい映像を見て不快に感じることを防ぐことができる。
【発明を実施するための最良の形態】
【００１９】
以下、本発明の実施形態について図面を参照して説明する。ここでは、デジタル放送受信に対応したハードディスクレコーダを一例として説明する。
【００２０】
図１に、本発明に係るハードディスクレコーダの概略構成図を示す。本図に示すよう、本発明に係るハードディスクレコーダは、チューナ２と、復調部３と、エラー訂正部４と、デマルチプレクサ５と、デコード部６と、映像合成部７と、映像Ｄ／Ａ変換部８と、エンコード／デコード部９と、ＨＤＤ（ハードディスクドライブ）１０と、ＯＳＤ（Ｏｎ  Ｓｃｒｅｅｎ  Ｄｉｓｐｌａｙ）部１１と、内部時計１２と、不揮発性メモリ１３と、リモコン受信部１４と、制御部１５とを備えている。チューナ２にはアンテナ１が接続され、映像Ｄ／Ａ変換部８にはテレビ１６が接続される。
【００２１】
アンテナ１は、デジタル放送の放送電波を受信し放送電波を高周波信号に変換してチューナ２に出力する。チューナ２は、アンテナ１から入力される高周波信号から所望の周波数の高周波信号を抽出し、抽出された高周波信号を周波数変換して中間周波信号を生成し、生成された中間周波信号を復調部３に出力する。復調部３は、チューナ２から入力された中間周波信号に対してデジタル復調を行い、トランスポートストリームをエラー訂正部４に出力する。エラー訂正部４は、復調部３から入力されたトランスポートストリームに対してエラー訂正を行い、エラー訂正されたトランスポートストリームをデマルチプレクサ５に出力する。デマルチプレクサ５は、トランスポートストリームから映像ストリームを分離しデコード部６に出力する。デコード部６は、映像ストリームを伸長復号化し、復号映像データを映像合成部７に出力する。
【００２２】
また、デコード部６は、復号映像データをエンコード／デコード部９に出力もする。エンコード／デコード部９は、復号映像データを圧縮符号化し、圧縮映像データをＨＤＤ１０に出力する。ＨＤＤ１０は、ハードディスクを内蔵しており、圧縮映像データをハードディスクに記録させる。
【００２３】
また、ＨＤＤ１０は、ハードディスクから圧縮映像データを再生しエンコード／デコード部９に出力する。エンコード／デコード部９は、再生された圧縮映像データを伸長復号化し、復号映像データを映像合成部７に出力する。
【００２４】
また、ＯＳＤ部１１は、ＯＳＤ映像データを生成して映像合成部７に出力する。映像合成部７は、デコード部６またはエンコード／デコード部９からの復号映像データとＯＳＤ映像データとを合成して合成映像データを映像Ｄ／Ａ変換部８に出力する。また、映像合成部７は、上記合成をせずに復号映像データやＯＳＤ映像データを映像Ｄ／Ａ変換部８に出力もする。映像Ｄ／Ａ変換部８は、映像合成部７からの合成映像データ、復号映像データ、ＯＳＤ映像データをアナログ映像信号に変換してテレビ１６に出力し、テレビ１６に映像が表示される。
【００２５】
内部時計１２は、時刻を計測する。不揮発性メモリ１３は、例えばフラッシュメモリであり、各種設定情報が記憶される。リモコン受信部１４は、リモコン１７から赤外線信号を受信し赤外線信号をコード信号に変換して制御部１５に出力する。
【００２６】
次に、本発明に係るハードディスクレコーダの録画動作について説明する。
【００２７】
録画動作の前には予め録画予約設定が行われる。リモコン１７の操作により録画予約画面がテレビ１６に表示され、チャンネル、録画日、録画開始時刻、録画終了時刻、録画モードがリモコン１７の操作により指定されると、指定された内容の録画予約設定情報が制御部１５により不揮発性メモリ１３に記憶される。このとき、ＨＤＤ１０のハードディスクが有する管理領域には、録画中に放送受信障害が発生した時刻および放送受信障害から復帰した時刻が記録される領域である障害地点タグ、および番組名、録画開始時刻、録画終了時刻、後述する損傷ランクが記録される各領域が確保される。録画予約設定がされるたびに、ハードディスクには同様の新たな領域が確保される。例えば、４つの録画予約設定がされた場合は、図４に示すような領域がハードディスクの管理領域に確保される。
【００２８】
そして、録画予約設定の後、不揮発性メモリ１３に記憶された録画予約設定情報の録画日および録画開始時刻で表される時刻になると、図２のフローチャートにおけるステップＳ２０で、制御部１５の指示によりチューナ２が録画予約設定情報のチャンネルを選局し、ＨＤＤ１０がトランスポートストリームに基づく圧縮映像データの記録を開始し、放送番組の録画が開始される。
【００２９】
その後、制御部１５が放送受信障害の発生を検出しない間は（ステップＳ２１のＮ）、録画が継続され、制御部１５が放送受信障害の発生を検出すると（ステップＳ２１のＹ）、ステップＳ２２に進む。ここで、放送受信障害の発生は、エラー訂正部４が測定したエラーレートがエラー訂正限界を超えたことを検出することにより検出すればよい。
【００３０】
ステップＳ２２で、ＨＤＤ１０は圧縮映像データの記録を一時停止し録画が一時停止され、ＨＤＤ１０は制御部１５が内部時計１２より取得した現在時刻をハードディスクに確保された障害地点タグに障害発生時刻として記録させる。
【００３１】
その後、制御部１５が放送受信障害からの復帰を検出しない間は（ステップＳ２３のＮ）、録画の一時停止状態が継続され、制御部１５が放送受信障害からの復帰を検出すると（ステップＳ２３のＹ）、ステップＳ２４に進む。ここで、放送受信障害からの復帰は、エラー訂正部４が測定したエラーレートがエラー訂正限界以下であることを検出することにより検出すればよい。
【００３２】
ステップＳ２４で、ＨＤＤ１０は制御部１５が内部時計１２より取得した現在時刻をハードディスクに確保された障害地点タグに障害復帰時刻として記録させ、ＨＤＤ１０は圧縮映像データの記録を再開し録画が再開される。そして、ステップＳ２１に戻り、以降同様の動作となる。
【００３３】
図２のフローチャートの動作は、不揮発性メモリ１３に記憶された録画予約設定情報の録画終了時刻になると終了し、図３のフローチャートが開始される。
【００３４】
録画終了時刻になったとき録画中である場合は、ステップＳ３０で、ＨＤＤ１０は圧縮映像データの記録を停止し録画が停止される。また、録画終了時刻になったとき録画の一時停止状態である場合は、ステップＳ３１で、ＨＤＤ１０は制御部１５が内部時計１２より取得した現在時刻をハードディスクに確保された障害地点タグに障害復帰時刻として記録させる。
【００３５】
ステップＳ３０またはステップＳ３１の後、障害地点タグになんらかの記録が有る場合は（ステップＳ３２のＹ）、ステップＳ３３で、制御部１５は、障害地点タグに記録された障害発生時刻および障害復帰時刻間の経過時間の総和を算出し、不揮発性メモリ１３に記憶された録画開始時刻および録画終了時刻間の経過時間に対する上記算出された総和の割合を算出する。つまり、録画時間に対する録画中断時間の割合を算出する。そして、ステップＳ３４で、算出された録画時間に対する録画中断時間の割合に応じた損傷ランクをＨＤＤ１０がハードディスクの管理領域に記録させる。例えば、算出された録画時間に対する録画中断時間の割合が０％より大きく１０％以下であれば損傷小の損傷ランクを、１０％より大きく３０％以下であれば損傷中の損傷ランクを、３０％より大きければ損傷大の損傷ランクをそれぞれ記録するようにすればよい。ここでの１０％および３０％というしきい値は固定値でもよいし、リモコン１７の操作により可変としてもよい。
【００３６】
また、ステップＳ３０またはステップＳ３１の後、障害地点タグに記録がない場合は（ステップＳ３２のＮ）、ステップＳ３４で、ＨＤＤ１０は損傷なしの損傷ランクをハードディスクの管理領域に記録させる。
【００３７】
ステップＳ３４の後は、ＨＤＤ１０は、不揮発性メモリ１３に記憶された録画予約設定情報の録画開始時刻および録画終了時刻をハードディスクの管理領域に記録させ、制御部１５が不揮発性メモリ１３に記憶された録画予約設定情報を削除する。また、図２のフローチャート開始後、デマルチプレクサ５がトランスポートストリームから分離した付加データより制御部１５が取得した番組名を、ＨＤＤ１０がハードディスクの管理領域に記録させる。以上で録画動作が完了する。
【００３８】
ここで図５は、４つの録画予約設定がされ図４のような領域がハードディスクの管理領域に確保された後、各録画予約設定情報に基づき以上で説明した録画動作が行われた後のハードディスクの管理領域の状態例を示している。損傷ランクの記録の際のしきい値については前述のように１０％および３０％としており、番組名ＡＡＡについては録画時間２時間に対して録画中断時間６分であり録画時間に対する録画中断時間の割合が５％となるから損傷小の損傷ランクが記録され、番組名ＣＣＣについては録画時間２時間に対して録画中断時間２４分（＝１３分＋１１分）であり録画時間に対する録画中断時間の割合が２０％となるから損傷中の損傷ランクが記録され、番組名ＤＤＤについては録画時間１時間に対して録画中断時間２５分であり録画時間に対する録画中断時間の割合が４２％となるから損傷大の損傷ランクが記録されている。また、番組名ＢＢＢについては障害地点タグに記録がないので、損傷なしの損傷ランクが記録されている。
【００３９】
次に、以上のような録画動作の後のタイトル一覧表示動作に関して説明する。
【００４０】
ここで予めユーザはタイトル一覧表示の表示形式を設定することができる。リモコン１７における所定の操作によりＯＳＤ部１１がＯＳＤ映像データを生成し、テレビ１６に図６に示すようなタイトル一覧表示設定画面が表示される。ここで、リモコン１７により「全てを表示」が選択されると、制御部１５は対応する設定情報を不揮発性メモリ１３に記憶させる。
【００４１】
それから、リモコン１７においてタイトル一覧表示用のキーが入力されると、ＯＳＤ部１１がＯＳＤ映像データを生成し、ハードディスクに記録された映像データの最初のフレームのサムネイルおよびハードディスクに記録された番組名が映像データ毎に全ての映像データについてテレビ１６に表示される。また、損傷ランクが損傷なし以外の映像データについてはサムネイルに重なるよう放送受信障害の発生を表すアイコンが表示される。このアイコンは、損傷ランクに応じて色分けされており、例えば、損傷大であれば赤色、損傷中であればオレンジ色、損傷小であれば黄色に色分けされる。
【００４２】
図７は、ハードディスクの管理領域が前述した図５のような状態でタイトル一覧表示させた場合の画面を示している。ここで、上記アイコンの色分け例であれば、番組名ＡＡＡについてのアイコンは黄色で、番組名ＣＣＣについてのアイコンはオレンジ色で、番組名ＤＤＤについてのアイコンは赤色でそれぞれ表示されることになる。
【００４３】
このようなタイトル一覧表示においてある映像データがリモコン１７の操作により選択されると、図８に示すような各種項目を含んだメニューが表示される（図８は番組名ＣＣＣが選択されたところ）。ここで、再生の項目がリモコン１７の操作により選択されると、選択された映像データをＨＤＤ１０がハードディスクから再生し、テレビ１６に再生映像が表示される。
【００４４】
上記のような色分けされたアイコン表示によりユーザは放送受信障害の程度すなわち記録された映像データの損傷程度を再生前に把握でき、放送受信障害により損傷の激しい映像データを再生させてユーザが再生映像を見て不快に感じることを防ぐことができる。
【００４５】
また、タイトル一覧表示で映像データが選択されて表示される上記メニューにおいて受信障害状況という項目がリモコン１７の操作により選択されると、ＯＳＤ部１１がＯＳＤ映像データを生成し、テレビ１６にバーグラフが表示される。ここでは、横長のバーが表示され、バーの両端の上部に選択された映像データの録画開始時刻および録画終了時刻が表示される。また、選択された映像データの障害地点タグに記録された障害発生時刻および障害復帰時刻間の障害発生期間に対応するバーの部分と、それ以外のバーの部分とが色分けされて表示される。例えば、障害発生期間に対応する部分は赤色で表示され、それ以外の部分は白色で表示される。なお、選択された映像データの障害地点タグに記録がない場合は、バーと録画開始時刻および録画終了時刻が表示され、バーは正常期間の色（上記色分け例であれば白色）の一色で表示される。
【００４６】
図９は、図８のように番組名ＣＣＣが選択されてメニューが表示された状態で受信障害状況の項目が選択された場合に表示されるバーグラフを示している。ここでは、バーの両端上部に録画開始時刻の１６：００と録画終了時刻の１８：００が表示され、左側の斜線部分は１６：０５〜１６：１８の障害発生期間を表し、右側の斜線部分は１７：３４〜１７：４５の障害発生期間を表す。上記の色分け例であれば、斜線部分が赤色、それ以外の部分が白色で表示される。このようなバーグラフ表示により、ユーザは放送受信障害の発生状況すなわち映像データの損傷程度を直感的に把握できる。
【００４７】
また、前述した図６に示すタイトル一覧表示設定画面において「損傷大を表示しない」「損傷大・中を表示しない」「損傷大・中・小を表示しない」のいずれかの項目がリモコン１７の操作により選択されると、制御部１５が対応する設定情報を不揮発性メモリ１３に記憶させる。それから、リモコン１７においてタイトル一覧表示用のキーが入力されると、ＯＳＤ部１１がＯＳＤ映像データを生成し、ハードディスクに記録された映像データの最初のフレームのサムネイルおよびハードディスクに記録された番組名が映像データ毎にテレビ１６に表示される。ここで、上記で「損傷大を表示しない」が選択された場合は、損傷ランクが損傷大である映像データ以外の映像データについてサムネイルおよび番組名が表示され、上記で「損傷大・中を表示しない」が選択された場合は、損傷ランクが損傷大および損傷中である映像データ以外の映像データについてサムネイルおよび番組名が表示され、上記で「損傷大・中・小を表示しない」が選択された場合は、損傷ランクが損傷大、損傷中および損傷小である映像データ以外の映像データについてサムネイルおよび番組名が表示される。このとき、損傷ランクが損傷なし以外の映像データについてはサムネイルに重なるよう放送受信障害発生を表すアイコンが表示され、このアイコンは損傷ランクに応じて色分け表示される。例えば、前述した色分け例であればよい。
【００４８】
図１０は、ハードディスクの管理領域が前述した図５のような状態でタイトル一覧表示設定画面において「損傷大・中を表示しない」が選択され、タイトル一覧表示させた場合の画面を示している。ここでは、損傷ランクが損傷大および損傷中である映像データ以外の番組名ＡＡＡおよびＢＢＢの映像データについてサムネイルおよび番組名が表示され、損傷ランクが損傷小である番組名ＡＡＡの映像データについてアイコンが表示される。
【００４９】
このようなタイトル一覧表示において、リモコン１７の操作によりある映像データが選択されると、選択された映像データをＨＤＤ１０がハードディスクから再生し、テレビ１６に再生映像が表示される。
【００５０】
このようにタイトル一覧表示設定画面での設定により、設定に応じた損傷程度の映像データについてはタイトル一覧表示されなくなり選択再生不可能となるので、ユーザが放送受信障害により損傷の激しい映像を見て不快に感じることを防ぐことができる。
【００５１】
次に、録画動作後のタイトル一括削除に関して説明する。
【００５２】
リモコン１７における所定の操作によりＯＳＤ部１１がＯＳＤ映像データを生成し、テレビ１６に図１１に示すようなタイトル一括削除画面が表示される。ここで、「損傷大を削除」「損傷大・中を削除」「損傷大・中・小を削除」の各項目のいずれかがリモコン１７の操作により選択されると、図１２に示すような確認用ダイアログが表示され、ここで「はい」がリモコン１７の操作により選択されると、上記で選択された項目に応じた損傷ランクの映像データをＨＤＤ１０はハードディスクから削除する。
【００５３】
図５のようなハードディスクの管理領域の状態で、タイトル一括削除画面において「損傷大を削除」が選択された場合は、番組名ＤＤＤの映像データがハードディスクから削除され、「損傷大・中を削除」が選択された場合は、番組名ＣＣＣおよびＤＤＤの映像データがハードディスクから削除され、「損傷大・中・小を削除」が選択された場合は、番組名ＡＡＡ、ＣＣＣおよびＤＤＤの映像データがハードディスクから削除される。
【００５４】
これにより、ユーザが削除を所望する損傷程度の映像データが削除され再生不可能となるので、ユーザが放送受信障害により損傷の激しい映像を見て不快に感じることを防ぐことができる。また、ハードディスクの残り容量を増やして有効活用することができる。
【００５５】
なお、以上の実施形態において、障害地点タグには障害発生時刻および障害復帰時刻として内部時計の時刻を記録していたが、トランスポートストリーム中のタイムコードを記録するようにしてもよい。
【００５６】
また、以上の実施形態において、ハードディスクの管理領域に記録していた各種データについてはハードディスク以外の記録媒体（例えば、不揮発性メモリ）に記録させるようにしてもよい。
【００５７】
また、本発明はハードディスクレコーダに限らず、ＤＶＤレコーダ、Ｂｌｕ−ｒａｙ  Ｄｉｓｋ（登録商標）レコーダ等、あらゆる録画装置に適用可能である。
【図面の簡単な説明】
【００５８】
【図１】は、本発明に係るハードディスクレコーダの概略構成図である。
【図２】は、本発明に係るハードディスクレコーダにおける録画動作に関するフローチャートである。
【図３】は、本発明に係るハードディスクレコーダにおける録画完了の際の動作に関するフローチャートである。
【図４】は、ハードディスクの管理領域に確保された領域の例を示す図である。
【図５】は、録画動作後のハードディスクの管理領域の状態例を示す図である。
【図６】は、タイトル一覧表示設定画面を示す図である。
【図７】は、タイトル一覧表示の例を示す図である。
【図８】は、タイトル一覧表示におけるメニュー表示を示す図である。
【図９】は、バーグラフ表示の例を示す図である。
【図１０】は、タイトル一覧表示の例を示す図である。
【図１１】は、タイトル一括削除画面を示す図である。
【図１２】は、タイトル一括削除画面における確認用ダイアログ表示を示す図である。
【符号の説明】
【００５９】
１    アンテナ
２    チューナ
３    復調部
４    エラー訂正部
５    デマルチプレクサ
６    デコード部
７    映像合成部
８    映像Ｄ／Ａ変換部
９    エンコード／デコード部
１０    ＨＤＤ
１１    ＯＳＤ部
１２    内部時計
１３    不揮発性メモリ
１４    リモコン受信部
１５    制御部
１６    テレビ
１７    リモコン
【図１】
2008294887.tif 000003
【図２】
2008294887.tif 000004
【図３】
2008294887.tif 000005
【図４】
2008294887.tif 000006
【図５】
2008294887.tif 000007
【図６】
2008294887.tif 000008
【図９】
2008294887.tif 000009
【図１１】
2008294887.tif 000010
【図１２】
2008294887.tif 000011
【図７】
2008294887.tif 000012
【図８】
2008294887.tif 000013
【図１０】
2008294887.tif 000014